(57)【要約】【課題】無線ＬＡＮ機能が組み込まれた、入力手段及び表示手段などの操作系機能を具備しない機器に対して、通信に必要な通信パラメータの設定を可能とする。【解決手段】通信パラメータを送信する第１の通信手段と、前記通信パラメータを登録処理する手段と、第１の通信手段以外の通信を処理する第２の通信手段をある特定の動作により切り替えることができる手段と、切替手段はパスワードにより保護する手段を具備する。【選択図】        図１
2004159050.tif 000002
【特許請求の範囲】
【請求項１】
１つのアクセスポイントと複数の無線端末とで構成される無線ＬＡＮシステムにおいて、
前記第１の無線端末は操作及び入力手段を持たない前記第２の無線端末にＩ通信パラメータを無線通信により送信する第１の通信手段と、
前記第１の通信手段より前記通信パラメータを受信した前記第２の無線端末は、前記通信パラメータを登録処理する手段と、
前記第１の通信手段以外の通信を処理する第２の通信手段と、
前記第１の通信手段と第２の通信手段をある特定の動作により切り替えることができる手段と、
前記切替手段はパスワードにより切替処理を保護する手段と、
を備えることを特徴とする無線通信システム。
【発明の詳細な説明】
【０００１】
【発明の属する技術分野】
本発明は、ＩＥＥＥ８０２．１１に準拠した無線ＬＡＮシステムにおいて入力手段及び表示手段等の操作系機能を具備しない無線端末に対して、通信のために必要な通信パラメータを設定する方法に関する。
【０００２】
【従来の技術】
無線通信機器における通信パラメータの設定方法は、例えばＰＨＳ（ＰｅｒｓｏｎａｌＨａｎｄｙ  ｐｈｏｎｅ  Ｓｙｓｔｅｍ）では子機を自営モードとして使用する際に親機に子機を登録させる方法として例えば図１に示すような方法がある。
【０００３】
図１のシーケンスにおいてまず親機、子機にはそれぞれコマンドを入力する入力手段、その入力結果を表示させる機能、もしくは端末（ここでは表示機付キーボードとする）のような機器の具備、接続が必要となる。登録作業は親機、子機においてほぼ同時に登録開始コマンドを入力することでそれぞれ通信に必要なパラメータを登録する登録モードに遷移する事が可能になる。
【０００４】
図１のシーケンスに基づいて説明すると、親機、子機においてほぼ同じに「登録開始」コマンドを入力し、それぞれ「登録モード」へ移行する。
【０００５】
次に親機側において、子機を登録する内線番号を入力（ここでは１１とする）し、さらに暗証番号入力（ここでは１２３４）を行う。
【０００６】
前記親機からの報知信号を受信した子機は親機に入力した「子機内線番号、暗証番号」と同じ数値を入力する。加入者データ書込みシーケンス処理にて親機側、子機側で入力された「子機内線番号、暗証番号」の一致確認後、登録処理を行い親機への子機の登録は完了する。
【０００７】
次に無線ＬＡＮ機器における通信パラメータの設定方法は以下のような方法である。
【０００８】
まず、ＩＥＥＥ８０２．１１規格によって規定された無線ＬＡＮ環境では、アクセスポイント（以後ＡＰ）を使用しないアドホックモード、ＡＰを使用するインフラストラクチャーモードの２種類のモードが存在する。アドホックモードでは各無線ＬＡＮクライアント（以後ＳＴＡ）がお互い使用する周波数チャネル（以後Ｃｈ）を同一に設定する必要がある。インフラストラクチャーモードはＡＰにＣｈ、無線ネットワーク名（以後ＥＳＳ−ＩＤ）、ＷＥＰの設定が必要となる。そしてこのＡＰを経由するＳＴＡ側にはＡＰに設定されているＥＳＳ−ＩＤ、ＷＥＰに合わせた設定を施す。使用ＣｈはＥＳＳ−ＩＤが一致すれば自動的にＡＰよりＳＴＡ側に設定される。
【０００９】
現在ＳＴＡの形状は、操作ボタン及び表示機能などの入力手段を具備してはいないＰＣカード型の機器が多い。このＰＣカード型のＳＴＡに上記に述べたような通信パラメータを登録するには、まずノート型ＰＣなどにＰＣカード型ＳＴＡを装着し、ＳＴＡのドライバソフトウェアをインストールする。そしてこのドライバソフトウェアには「通信パラメータ設定機能」が具備されており、このソフトウェアの手順に沿って通信パラメータの設定を行っていた。
【００１０】
その従来例を図２に示す。ＳＴＡ（２０１）はノートＰＣ（２０２）に装着されている。ノートＰＣ（２０２）にインストールされたＳＴＡドライバソフトを起動させると、通信パラメータを設定するための入力画面（２０１）が表示される。ユーザーは入力画面（２０１）を使用してアドホックモード、またはインフラストラクチャーモードに対応した通信パラメータを設定することによって、ＳＴＡを起動させていた。
【００１１】
【発明が解決しようとする課題】
上記の従来例においては、ＰＨＳにおいては登録する側、登録される側の双方共に表示機付キーボードを、ＰＣカード型の無線ＬＡＮの場合はノート型ＰＣを使用することにより通信に必要な通信パラメータの設定を可能としていた。しかし例えばインターネットカメラ、プロジェクタ等の入力ボタン及び表示機能などを具備していない機器に無線ＬＡＮが組み込まれた場合は、前記通信パラメータを設定することは不可能であった。
【００１２】
【課題を解決するための手段】
本発明によれば、
１つのアクセスポイントと複数の無線端末とで構成される無線ＬＡＮシステムにおいて、
前記第１の無線端末は無線通信により操作及び入力手段を持たない前記第２の無線端末に通信パラメータを送信する第１の通信手段と、
前記第１の通信手段より前記通信パラメータを受信した前記第２の無線端末は、前記通信パラメータを登録処理する手段と、
前記登録手段はパスワードにより起動を保護する手段と、
前記第１の通信手段以外の通信を処理する第２の通信手段と、
前記第１の通信手段と第２の通信手段をある特定の動作により切り替えることができる手段
を備えることで、操作ボタン及び表示機能などを具備していない機器に無線ＬＡＮ機能が組み込まれた場合でも通信パラメータの設定を容易に施すことを可能とする。
【００１３】
【発明の実施の形態】
（実施例１）
図３に本発明の構成例を示す。
【００１４】
プロジェクタ（３０１）はプロジェクタ機能部（３０３）にＩＥＥＥ８０２．１１ｂ標準に準拠した無線信号の送受信を処理する無線処理部（３０２）を内蔵した装置である。ここでは無線処理部（３０２）は初期状態にある。
【００１５】
ＳＴＡ（Ｓｔａｔｉｏｎ）（３０４）は端末局であり、ノート型ＰＣ（３０６）にＩＥＥＥ８０２．１１ｂ標準に準拠した無線信号の送受信機能を有するＰＣカード型ワイヤレスＬＡＮアダプタ（３０５）を装着したよるデータ端末である。
【００１６】
ＡＰ（Ａｃｃｅｓｓ  Ｐｏｉｎｔ）（３０７）は、無線アクセスと有線網との中継機能や無線信号の送受信機能を有し、さらに無線信号制御等のファームウェアやＭＡＣアドレス認証機能も搭載されている。（３０８）はイーサネットケーブル（登録商標）等の有線網である。
【００１７】
本実施例にて説明する例はプロジェクタ（３０１）とＳＴＡ（３０４）をアドホックモードで通信可能にすること、またはプロジェクタ（３０１）とＡＰ（３０７）をインフラストラクチャーモードで通信可能にすることを目的とする。
【００１８】
以上のような構成において、本発明の処理を図４のシーケンス図に基づいて説明する。
【００１９】
まずプロジェクタ（３０１）においては例えばプロジェクタ機能部（３０３）にて「リセットボタン＋電源ＯＮ」などの特定操作実施により、無線処理部（３０２）へ「登録開始」要求（Ｓ４０２）を送信する。これを受信した無線処理部（３０２）は「通信パラメータ設定モード」へ遷移し、プロジェクタ機能部（３０３）へ「登録開始応答」を送信する（Ｓ４０４）。プロジェクタ機能部（３０３）は「通信パラメータ設定モード」へ遷移した事をユーザーに通知するために例えばＬＥＤを「遅く点滅」させるなどしてその旨を示す。
【００２０】
ＳＴＡ（３０４）においてはノート型ＰＣ（３０６）より「登録モード開始コマンド」を入力することで「通信パラメータ設定モード」へ遷移できる。ノート型ＰＣ（３０６）より「登録開始」要求（Ｓ４０１）を受信したＰＣカード型ワイヤレスＬＡＮアダプタ（３０５）は「通信パラメータ設定モード」へ遷移し、「通信パラメータ設定モード」によるプロジェクタ（３０１）の通信パラメータ設定実施の認証確認を行うためユーザーにＰａｓｓｗｏｒｄの入力を問う（Ｓ４０３）。
【００２１】
ユーザーはノート型ＰＣ（３０６）よりＰａｓｓｗｏｒｄを入力し（Ｓ４０５）、ＰＣカード型ワイヤレスＬＡＮアダプタ（３０５）を介して、入力したＰａｓｓｗｏｒｄを無線にてプロジェクタ（３０１）に送信する（Ｓ４０６）。
【００２２】
プロジェクタ（３０１）は無線処理部（３０２）にて受信したＰａｓｓｗｏｒｄの照合を行い、Ｐａｓｓｗｏｒｄが一致していれば「Ｐａｓｓｗｏｒｄ確認応答成功」（Ｓ４０７）を、一致しなければ「Ｐａｓｓｗｏｒｄ確認応答成功」を返信する。なお、ここでは無線処理部（３０２）は初期状態にあるためＰａｓｓｗｏｒｄ送信（Ｓ４０６）に対してＳＴＡ（３０４）に対してＰａｓｓｗｏｒｄの再入力を要求し、一致した場合にはＰａｓｓｗｏｒｄとして登録する処理とする。
【００２３】
Ｐａｓｓｗｏｒｄの登録、または一致が認められたＳＴＡ（３０４）は無線処理部（３０２）に設定する通信パラメータの入力を行う。「通信パラメータ設定モード」へ遷移したＰＣカード型ワイヤレスＬＡＮアダプタ（３０５）はパラメータ入力をユーザーに問い合わせる。問合せ方法はシーケンシャルに順番にパラメータを問い合わせる方法や従来例の図２のように入力画面を表示させる方法などにより行う（Ｓ４０８、Ｓ４１０、Ｓ４１２、Ｓ４１４）。
【００２４】
ここでは「インフラストラクチャーモード」に設定することにする。従って設定ＩＰ  Ａｄｄｒｅｓｓを入力し、「ｍｏｄｅ」をインフラストラクチャーモード、指定ＥＳＳ−ＩＤを入力、ＷＥＰ機能ＯＮ／ＯＦＦの選択を行う。（Ｓ４０９、Ｓ４１１、Ｓ４１３）、Ｓ４１５）。「アドホックモード」の場合はＩＰ  Ａｄｄｒｅｓｓ、使用周波数（チャネル）を設定すれば良い。
【００２５】
ＰＣカード型ワイヤレスＬＡＮアダプタ（３０５）にて、必須の通信パラメータが全て揃ったら、プロジェクタ（３０１）に対してＲＴＳを送信する（Ｓ４１６）。この際使用周波数はＰＣカード型ワイヤレスＬＡＮアダプタ（３０５）とプロジェクタ（３０１）で同じチャネルでなければならない。従って「通信パラメータ設定モード」で使用するチャネルはあらかじめ取り決めておかねばならない。ここでは、「１４ｃｈ」を常に使用することにする。「１４ｃｈ」で送信されたＲＴＳを受信したプロジェクタ（３０１）は同チャネルでＣＴＳを応答する（Ｓ４１７）。（Ｓ４１８）（Ｓ４１９）（Ｓ４２０）（Ｓ４２１）（Ｓ４２２）（Ｓ４２３）（Ｓ４２４）（Ｓ４２５）（Ｓ４２６）（Ｓ４２７）ＳＴＡ（３０４）、ＰＣカード型ワイヤレスＬＡＮアダプタ（３０５）タイムアウト
【００２６】
【発明の効果】
本発明によれば、ＩＥＥＥ８０２．１１に準拠した無線ＬＡＮシステムにおいて、無線端末に無線通信により通信パラメータを送信する通信パラメータ登録モード、また通信パラメータ登録モードで受信した通信パラメータを登録手段を備えることによって、入力ボタン及び表示機能などを具備していない機器に無線ＬＡＮが組み込まれた場合においても、前記通信パラメータを設定することを可能とする。
【図面の簡単な説明】
【図１】従来のシーケンス処理
【図２】従来例システム構成図
【図３】本発明のシステム構成図
【図４】本発明の実施例のシーケンス処理
【符号の説明】
３０１  プロジェクタ
３０２  無線処理部
３０３  プロジェクタ機能部
３０４  ＳＴＡ（Ｓｔａｔｉｏｎ）
【図１】
2004159050.tif 000003
【図２】
2004159050.tif 000004
【図３】
2004159050.tif 000005
【図４】
2004159050.tif 000006